(57)【要約】【課題】  複数の電流発生素子に供給する電流を均一にして、各電流発生素子の輝度を全て均一にすること。【解決手段】  電流発生素子に電流を流す電流駆動回路を並列に複数有し、各電流駆動回路は、定電流発生回路に流れる電流ＩＲＥＦからミラーされた基準電流を流す一方のトランジスタ素子のドレイン・ソース間電圧（Ｖｄｓ）と基準電流を任意の比で電流を流す他方のトランジスタ素子のドレイン・ソース間電圧（Ｖｄｓ）とを同一にするための差動増幅回路を有することにより、複数のＭＯＳトランジスタに均一な電流をミラーでき、各電流駆動回路の電流発生素子の輝度を全て均一にする。【選択図】  図１
2006237382.tif 000002
【特許請求の範囲】
【請求項１】
基準電流を発生する基準電流発生手段と、
電流発生素子と、該電流発生素子からの電流および前記基準電流発生手段からの基準電流が供給される差動増幅手段とを有し、互いに並列接続された複数の電流駆動手段と
を具え、
前記各電流駆動手段を構成する前記差動増幅手段は、
前記基準電流発生手段に接続される第１の入力端子と、前記電流発生素子に接続される第２の入力端子と、出力端子とを有する増幅器と、
前記増幅器の出力端子に接続される制御端子を有する一対のトランジスタ素子からなるトランジスタ回路と
を含み、
前記増幅器の第１の入力端子は、前記基準電流発生手段から基準電流が供給される前記トランジスタ回路の一方のトランジスタ素子の入力端子に接続され、
前記増幅器の第２の入力端子は、前記電流発生素子から電流が供給される前記トランジスタ回路の他方のトランジスタ素子の入力端子に接続され、
前記第１の入力端子に供給される基準電流に対して、前記第２の入力端子から供給される電流を所定の比で流すことを特徴とする電流駆動回路。
【請求項２】
前記基準電流発生手段から基準電流が供給される前記トランジスタ回路を構成する前記一方のトランジスタ素子の入力端子が、前記増幅器の前記第１の入力端子と接続される接続部を第１の接続点とし、
前記電流発生素子から電流が供給される前記トランジスタ回路を構成する前記他方のトランジスタ素子の入力端子が、前記増幅器の前記他方の第２の入力端子と接続される接続部を第２の接続点とし、
前記増幅器の前記出力端子が、前記トランジスタ回路を構成する前記一対のトランジスタ素子の前記制御端子と接続される接続部を第３の接続点とし、
前記基準電流発生手段から前記第１の接続点を介して前記第１の入力端子に供給される基準電流に対して、前記電流発生素子から前記第２の接続点を介して前記第２の入力端子に供給される電流を所定の比で流すように、前記第３の接続点に当たる前記一対のトランジスタ素子の前記制御端子の電位を調整して、前記第１の入力端子の接続部での電位と前記第２の入力端子の接続部での電位とが同一の電位となるように設定することにより、前記並列接続された各電流駆動手段を構成する前記各電流発生素子に流れる電流量が全て等しくなるようにしたことを特徴とする請求項１記載の電流駆動回路。
【請求項３】
前記各電流駆動手段を構成する前記差動増幅手段は、
前記電流発生素子としての発光ダイオードと、
前記基準電流発生手段が接続される前記第１の入力端子と、前記発光ダイオードのアノード又はカソードに接続される前記第２の入力端子と、前記出力端子とを有する差動アンプと、
前記差動アンプの前記出力端子に共通して接続される前記制御端子としてのゲート端子を有する一対のＭＯＳトランジスタからなるトランジスタ回路と
を具えたことを特徴とする請求項１又は２記載の電流駆動回路。
【請求項４】
請求項１ないし３のいずれかに記載された電流駆動回路を、
カラー液晶ディスプレイのバックライト用の白色発光ダイオード駆動回路として構成したことを特徴とする電流駆動回路。
【発明の詳細な説明】
【技術分野】
【０００１】
本発明は、例えば、カラー液晶ディスプレイのバックライトとして使用される複数の白色ＬＥＤを、全て均一に発光するように駆動制御する電流駆動回路に関する。
【背景技術】
【０００２】
従来、電流駆動回路としては、例えば、図５、図６に示すようなＬＥＤ駆動回路が知られている（例えば、特許文献１、２参照）。
図５に示すＬＥＤ駆動回路は、複数のＬＥＤ４４，５４，６４のアノードが入力直流電圧源１０に接続され、カソードがグランドに接続する抵抗４５，５５，６５に接続されている。そして、それぞれのＬＥＤに流れる電流は、下記の（１）式で与えられる。
【０００３】
【数１】
2006237382.tif 000003
【０００４】
図６に示すＬＥＤ駆動回路は、入力直流電圧源１０に接続され、基準電圧発生回路２０が発生する電圧と抵抗３６で決定される基準電流を発生する基準電流発生回路３０と、基準電流が流れるＭＯＳトランジスタ３２からＬＥＤを駆動するＭＯＳトランジスタ３７，３８，３９に任意の倍率で電流ミラーする回路から構成される。
【０００５】
【特許文献１】特開２００２−３１９７０７号公報
【特許文献２】特開２００３−１８７９８８号公報
【発明の開示】
【発明が解決しようとする課題】
【０００６】
しかし、上記のような従来のＬＥＤ駆動回路では、複数のＬＥＤに均一な電流を供給することができないという問題がある。
【０００７】
特に、カラー液晶ディスプレイのバックライトの光源として使用するためには、複数の白色ＬＥＤに流れる電流のばらつきの精度が高くないために、複数の白色ＬＥＤの輝度がばらつき、カラー液晶ディスプレイ全面を均一な明るさにすることが難しい。
【０００８】
問題を引き起こす大きな原因としては、白色ＬＥＤの順方向電圧（ＶＦ）のばらつきが３〜４Ｖと大きくばらつくことが考えられる。
【０００９】
また、白色ＬＥＤドライバ回路がフレキシブル基板を介してカラー液晶ディスプレイに接続するような場合は、接続部分の接触抵抗など配線に付く抵抗成分が数十Ωになることがあり、この抵抗成分もそれぞれの白色ＬＥＤ間で異なるということも原因の一つである。
【００１０】
従来回路である図５のＬＥＤ駆動回路では、白色ＬＥＤの順方向電圧（ＶＦ）が大きくばらつくために、（１）式より、それぞれの白色ＬＥＤ４４，５４，６４に流れる電流は大きくばらつく。
【００１１】
従来回路である図６のＬＥＤ駆動回路では、基準電流をミラーするために、図５の白色ＬＥＤ駆動回路よりは複数の白色ＬＥＤに流れる電流のばらつきは少なくなるが、白色ＬＥＤの順方向電圧（ＶＦ）のばらつきにより、ＭＯＳトランジスタ３７，３８，３９のドレイン・ソース間電圧（Ｖｄｓ）もばらつくため、ＭＯＳトランジスタ３７，３８，３９の図７に示すようなチャネル長変調効果の影響により、複数の白色ＬＥＤ４４，５４，６４間で流れる電流がばらつく。
【００１２】
そこで、本発明の目的は、ＬＥＤ等の複数の電流発生素子が並列接続された構成において、該複数の電流発生素子に流す電流を均一にすることにより、該各電流発生素子の輝度を全て均一にすることが可能な電流駆動回路を提供することにある。
【課題を解決するための手段】
【００１３】
本発明は、基準電流を発生する基準電流発生手段と、電流発生素子と、該電流発生素子からの電流および前記基準電流発生手段からの基準電流が供給される差動増幅手段とを有し、互いに並列接続された複数の電流駆動手段とを具え、前記各電流駆動手段を構成する前記差動増幅手段は、前記基準電流発生手段に接続される第１の入力端子と、前記電流発生素子に接続される第２の入力端子と、出力端子とを有する増幅器と、前記増幅器の出力端子に接続される制御端子を有する一対のトランジスタ素子からなるトランジスタ回路とを含み、前記増幅器の第１の入力端子は、前記基準電流発生手段から基準電流が供給される前記トランジスタ回路の一方のトランジスタ素子の入力端子に接続され、前記増幅器の第２の入力端子は、前記電流発生素子から電流が供給される前記トランジスタ回路の他方のトランジスタ素子の入力端子に接続され、前記第１の入力端子に供給される基準電流に対して、前記第２の入力端子から供給される電流を所定の比で流すことによって、電流駆動回路を構成する。
【００１４】
前記基準電流発生手段から基準電流が供給される前記トランジスタ回路を構成する前記一方のトランジスタ素子の入力端子が、前記増幅器の前記第１の入力端子と接続される接続部を第１の接続点とし、前記電流発生素子から電流が供給される前記トランジスタ回路を構成する前記他方のトランジスタ素子の入力端子が、前記増幅器の前記他方の第２の入力端子と接続される接続部を第２の接続点とし、前記増幅器の前記出力端子が、前記トランジスタ回路を構成する前記一対のトランジスタ素子の前記制御端子と接続される接続部を第３の接続点とし、前記基準電流発生手段から前記第１の接続点を介して前記第１の入力端子に供給される基準電流に対して、前記電流発生素子から前記第２の接続点を介して前記第２の入力端子に供給される電流を所定の比で流すように、前記第３の接続点に当たる前記一対のトランジスタ素子の前記制御端子の電位を調整して、前記第１の入力端子の接続部での電位と前記第２の入力端子の接続部での電位とが同一の電位となるように設定することにより、前記並列接続された各電流駆動手段を構成する前記各電流発生素子に流れる電流量が全て等しくなるようにしてもよい。
【００１５】
前記各電流駆動手段を構成する前記差動増幅手段は、前記電流発生素子としての発光ダイオードと、前記基準電流発生手段が接続される前記第１の入力端子と、前記発光ダイオードのアノード又はカソードに接続される前記第２の入力端子と、前記出力端子とを有する差動アンプと、前記差動アンプの前記出力端子に共通して接続される前記制御端子としてのゲート端子を有する一対のＭＯＳトランジスタからなるトランジスタ回路とを具えてもよい。
【００１６】
本発明は、上記電流駆動回路を、カラー液晶ディスプレイのバックライト用の白色発光ダイオード駆動回路とすることによって、電流駆動回路を構成する。
【発明の効果】
【００１７】
本発明によれば、互いに並列接続された複数の電流駆動手段を有する電流駆動回路において、各電流駆動手段を構成する差動増幅手段を、基準電流発生手段に接続される第１の入力端子と電流発生素子に接続される第２の入力端子と出力端子とを有する増幅器と、増幅器の出力端子に共通して接続される制御端子を有する一対のトランジスタ素子からなるミラー回路とによって構成し、一方のトランジスタ素子の入力端子に接続された増幅器の第１の入力端子に供給される基準電流に対して、他方のトランジスタ素子の入力端子に接続された増幅器の第２の入力端子に供給される電流を所定の比で流すようにしたので、第１の入力端子の接続位置での電位と第２の入力端子の接続位置での電位とが同一の電位となるように設定することができ、これにより、並列接続された各電流駆動手段を構成する各電流発生素子に流れる電流量を全て等しくすることができ、例えば、各電流発生素子としてＬＥＤを用いた場合、ＬＥＤの順方向電圧（ＶＦ）の差および配線に基づく抵抗成分による電圧降下に依存することなく、複数のＬＥＤに対して全て均一な電流を供給することができるようになり、複数のＬＥＤの輝度を全て均一にすることができる。
【発明を実施するための最良の形態】
【００１８】
以下、図面を参照して、本発明の実施の形態を詳細に説明する。
【００１９】
［第１の例］
本発明の第１の実施の形態を、図１〜図３に基づいて説明する。
【００２０】
（構成）
図１は、本発明に係る電流駆動回路の構成を示す。
【００２１】
本回路は、入力直流電圧源１０と、基準電圧発生回路２０と、定電流発生回路３０と、複数の電流駆動回路４０，５０，６０とから構成される。
【００２２】
定電流発生回路３０は、誤差増幅アンプ３１、バイアス抵抗３６と、ＭＯＳトランジスタ３２，３３，３４，３５とからなる。
【００２３】
電流駆動回路４０，５０，６０は、ＬＥＤ４４，５４，６４と、差動増幅回路４１，５１，６１とからなる。差動増幅回路４１，５１，６１は、増幅アンプ４１ａ，５１ａ，６１ａと、一対のＭＯＳトランジスタ４２，４３、ＭＯＳトランジスタ５２，５３、ＭＯＳトランジスタ６２，６３とからなる。
【００２４】
電流駆動回路４０，５０，６０は、入力直流電圧源１０にＬＥＤ（Ｌｉｇｈｔ  Ｅｍｉｔｔｉｎｇ  Ｄｉｏｄｅ）４４，５４，６４のアノードが接続され、ＬＥＤ４４，５４，６４のカソードはＭＯＳトランジスタ４３，５３、６３のドレインに接続され、これにより、ＬＥＤ４４，５４，６４からの電流（ＩＦ１，ＩＦ２，ＩＦ３）はＭＯＳトランジスタ４３，５３、６３を介してグランドに流れる。
定電流発生回路３０は、ＭＯＳトランジスタ３２，３３，３４，３５で構成されるカレントミラー回路を通して、複数の電流駆動回路４０，５０，６０に基準電流を入力する。
カレントミラー回路は、ミラー精度を高めるためにカスコード構成にすることもある。
【００２５】
各電流駆動回路４０，５０，６０は、差動増幅回路４１，５１，６１の増幅アンプ４１ａ，５１ａ，６１ａの一方の入力端子が定電流発生回路３０からミラーされる基準電流が流れるＭＯＳトランジスタ３３，３４，３５のドレインに接続され、増幅アンプ４１ａ，５１ａ，６１ａの他方の入力端子が基準電流と任意の比の電流を流すＭＯＳトランジスタ３３，３４，３５のドレインに接続されている。
差動増幅回路４１，５１，６１の増幅アンプ４１ａ，５１ａ，６１ａの出力端子は、一対のＭＯＳトランジスタ４２，４３、５２，５３、６２，６３のゲートにそれぞれ接続され、これら一対のＭＯＳトランジスタのソースはグランドにそれぞれ接続されている。
【００２６】
（回路動作）
次に、本回路の動作について説明する。
【００２７】
各電流駆動回路４０，５０，６０の差動増幅回路４１，５１，６１は、基準電流が流れるＭＯＳトランジスタ４２，５２，６２のドレイン・ソース間電圧（Ｖｄｓ＝Ｖｎ１，Ｖｎ２，Ｖｎ３）と、基準電流に対して任意の比の電流を流すＭＯＳトランジスタ４３，５３，６３のドレイン・ソース間電圧（Ｖｄｓ＝Ｖｐ１，Ｖｐ２，Ｖｐ３）がそれぞれ同じになるように、基準電流が流れるＭＯＳトランジスタ４２，５２，６２と、基準電流に対して任意の比の電流を流すＭＯＳトランジスタ４３，５３，６３とが共通して接続されたゲート端子におけるゲート・ソース間電圧（Ｖｇｓ＝Ｖｇ１，Ｖｇ２，Ｖｇ３）を個別に調整する。
【００２８】
従って、基準電流に対して任意の比の電流を流すＭＯＳトランジスタ４３，５３，６３のＩＦ−Ｖｐ特性は、図７のようなチャネル長変調効果の影響を受けることなく、図２に示すようなＶｄｓの変動に依存しないＩＦ−Ｖｐ特性を示すことになる。
その結果、基準電流と任意の同じ比の電流を流すＭＯＳトランジスタ４３，５３，６３のドレイン電圧に依存することなく、基準電流回路３０に流れる基準電流に対して、任意の比の電流を流す複数のＭＯＳトランジスタ４３，５３，６３に均一な電流をミラーすることが可能となる。
【００２９】
すなわち、本回路は、複数の電流駆動回路４０，５０，６０間でのＬＥＤ４４，５４，６４の順方向電圧（ＶＦ）の差や配線に基づく抵抗成分による電圧降下の差に依存することのない電流レギュレータとして動作させることができる。
【００３０】
以下、本回路の動作をさらに詳細に説明する。
【００３１】
複数の電流駆動回路４０，５０，６０が複数の順方向電圧（ＶＦ１≠ＶＦ２≠ＶＦ３）のばらつきが大きい白色ＬＥＤ４４，５４，６４を駆動するために、ＮＭＯＳトランジスタ４３，５３，６３に基準電流をα倍した電流を流す場合、電流駆動回路４０，５０，６０において、差動増幅回路４１，５１，６１は、制御端子としてのゲート端子の電位Ｖｇ１，Ｖｇ２，Ｖｇ３を、以下に示すように、Ｖｎ１＝Ｖｐ１、Ｖｎ２＝Ｖｐ２、Ｖｎ３＝Ｖｐ３となるように、各々個別に制御する。
【００３２】
電流駆動回路４０は、基準電流が流れるＮＭＯＳトランジスタ４２のドレイン電圧Ｖｎ１を、基準電流がα倍流れるＮＭＯＳトランジスタ４３のドレイン電圧Ｖｐ１に追従させるようにＶｇ１を制御する。
【００３３】
電流駆動回路５０は、基準電流が流れるＮＭＯＳトランジスタ５２のドレイン電圧Ｖｎ２を、基準電流がα倍流れるＮＭＯＳトランジスタ５３のドレイン電圧Ｖｐ２に追従させるようにＶｇ２を制御する。
【００３４】
電流駆動回路６０は、基準電流が流れるＮＭＯＳトランジスタ６２のドレイン電圧Ｖｎ３を、基準電流がα倍流れるＮＭＯＳトランジスタ６３のドレイン電圧Ｖｐ３に追従させるようＶｇ３を制御する。
【００３５】
従って、それぞれの基準電流がα倍流れるＮＭＯＳトランジスタ４３，５３，６３は、図２に示すように駆動電流ＩＦがドレイン・ソース間電圧（Ｖｄｓ）の変動には依存しないＩＦ−Ｖｐ特性を示し、高い精度で複数のＮＭＯＳトランジスタ４３，５３，６３に基準電流ＩＲＥＦをα倍した電流を流すことができるために、複数の順方向電圧（ＶＦ１≠ＶＦ２≠ＶＦ３）のばらつきが大きい白色ＬＥＤ（４４，５４，６４）の輝度を均一にすることができる。
【００３６】
また、本回路は、白色ＬＥＤの順方向電圧（ＶＦ）と同様に、入力直流電圧源から白色ＬＥＤまでの配線に付く抵抗成分と白色ＬＥＤから電流駆動回路までの配線に基づく抵抗成分による電圧降下も補正するため、配線の引き回しが大きい回路にも対応可能である（ＩＦ１＝ＩＦ２＝ＩＦ３＝αＩＲＥＦ）。
【００３７】
以上説明したように、ＬＥＤ４４，５４，６４に電流を流す電流駆動回路４０，５０，６０を並列に複数有し、各電流駆動回路は、定電流発生回路３０に流れる電流ＩＲＥＦからミラーされた基準電流を流すＭＯＳトランジスタ４２，５２，６２のドレイン・ソース間電圧（Ｖｄｓ）と、基準電流を任意の比で電流を流すＭＯＳトランジスタ４３，５３，６３のドレイン・ソース間電圧（Ｖｄｓ）とを同一にするための差動増幅回路４１，５１，６１を有することにより、各対のＭＯＳトランジスタ４２，４３、５２，５３、６２，６３に均一な電流をミラーできるため、複数のＬＥＤ４４，５４，６４の輝度を全て均一にすることが可能となる。
【００３８】
（各駆動電流の均一化）
図３は、ＬＥＤ４４，５４，６４の順方向電圧がＶＦ１＜ＶＦ２＜ＶＦ３の条件において、駆動電流を変化させた場合のＶｐ、Ｖｎ、Ｖｇ、ＩＲＥＦ、ＩＦの時間応答を示す。
時刻ｔ１に駆動電流を減少させ、時刻ｔ２に駆動電流を増加させる。この場合、電流の増減は、基準電圧発生回路２０が電圧値を変化させることで実現できる。また、抵抗３６を変化させることにより、電流を増減させてもよい。
【００３９】
１つの電流駆動回路４０に注目して説明する。
【００４０】
時刻ｔ１においては、Ｖｇ（Ｖｇ１，Ｖｇ２，Ｖｇ３）が下降し、ＩＦ（ＩＦ１，ＩＦ２，ＩＦ３）を減少させる。ＩＦが減少すると、ダイオードの電流−電圧特性よりＶＦが減少するので、相対的にＶｐ（Ｖｐ１，Ｖｐ２，Ｖｐ３）は上昇する。Ｖｎ（Ｖｎ１，Ｖｎ２，Ｖｎ３）はアンプの負帰還によりＶｐに追従する。
【００４１】
時刻ｔ２においては、Ｖｇが上昇し、ＩＦを増加させる。ＩＦが増加すると、ＶＦも増加するので、Ｖｐは下降する。同様に、ＶｎはＶｐに追従する。
【００４２】
均一な電流を供給する電流駆動回路として見た場合、それぞれの電流駆動回路が、ＶＦ１≠ＶＦ２≠ＶＦ３の条件であってもＩＦ１＝ＩＦ２＝ＩＦ３を満たすために、個々にＶｇを制御できる。
【００４３】
なお、図３の例では、ＶＦ１＜ＶＦ２＜ＶＦ３であるため、Ｖｐ３＜Ｖｐ２＜Ｖｐ１となる。
【００４４】
［第２の例］
本発明の第２の実施の形態を、図４に基づいて説明する。なお、前述した第１の例と同一部分については、その説明を省略し、同一符号を付す。
【００４５】
（構成）
図４は、本発明に係る電流駆動回路の構成を示す。
【００４６】
本回路は、入力直流電圧源１０と、基準電圧発生回路２０と、定電流発生回路１００と、複数の電流駆動回路７０，８０，９０とから構成される。
【００４７】
定電流発生回路１００は、誤差増幅アンプ１０１、バイアス抵抗１０６と、ＭＯＳトランジスタ１０３，１０４，１０５とからなる。
【００４８】
電流駆動回路７０，８０，９０は、ＬＥＤ７４，８４，９４と、差動増幅回路７１，８１，９１とからなる。差動増幅回路７１，８１，９１は、増幅アンプ７１ａ，８１ａ，９１ａと、一対のＰＭＯＳトランジスタ７２，７３、ＰＭＯＳトランジスタ８２，８３、ＰＭＯＳトランジスタ９２，９３とからなる。
【００４９】
（回路動作）
次に、本回路の動作について説明する。
【００５０】
複数の電流駆動回路７０，８０，９０が複数の順方向電圧（ＶＦ４≠ＶＦ５≠ＶＦ６）のばらつきが大きい白色ＬＥＤ７４，８４，９４を駆動するために、ＰＭＯＳトランジスタ７３，８３，９３に基準電流をα倍した電流を流す場合、電流駆動回路７０，８０，９０において、差動増幅回路７１，８１，９１は、制御端子としてのゲート端子の電位Ｖｇ４，Ｖｇ５，Ｖｇ６を、以下に示すように、Ｖｎ４＝Ｖｐ４、Ｖｎ５＝Ｖｐ５、Ｖｎ６＝Ｖｐ６となるように、各々個別に制御する。
【００５１】
電流駆動回路７０は、基準電流が流れるＰＭＯＳトランジスタ７２のドレイン電圧Ｖｎ４を、基準電流がα倍流れるＰＭＯＳトランジスタ（７３）のドレイン電圧Ｖｐ４に追従させるようにＶｇ４を制御する。
【００５２】
電流駆動回路８０は、基準電流が流れるＰＭＯＳトランジスタ８２のドレイン電圧Ｖｎ５を、基準電流がα倍流れるＰＭＯＳトランジスタ８３のドレイン電圧Ｖｐ５に追従させるようにＶｇ５を制御する。
【００５３】
電流駆動回路９０は、基準電流が流れるＰＭＯＳトランジスタ９２のドレイン電圧Ｖｎ６を、基準電流がα倍流れるＰＭＯＳトランジスタ９３のドレイン電圧Ｖｐ６に追従させるようＶｇ６を制御する。
【００５４】
従って、それぞれの基準電流がα倍流れるＰＭＯＳトランジスタ７３，８３，９３は、図２に示したように駆動電流ＩＦがドレイン・ソース間電圧（Ｖｄｓ）の変動には依存しないＩＦ−Ｖｐ特性を示し、高い精度で複数のＰＭＯＳトランジスタ７３，８３，９３に基準電流ＩＲＥＦをα倍した電流を流すことができるために、複数の順方向電圧（ＶＦ４≠ＶＦ５≠ＶＦ６）のばらつきが大きい白色ＬＥＤ７４，８４，９４の輝度を全て均一にすることができる（ＩＦ４＝ＩＦ５＝ＩＦ６＝αＩＲＥＦ）。
【産業上の利用可能性】
【００５５】
本発明は、直流電圧源に並列接続された負荷に対し均一な電流を供給することが可能であるため、低電圧で駆動されるカラー液晶ディスプレイのバックライト用白色ＬＥＤ駆動回路として好適である。
【図面の簡単な説明】
【００５６】
【図１】本発明の第１の実施の形態における、電流駆動回路の構成を示す回路図である。
【図２】ＬＥＤ駆動用ＭＯＳトランジスタのＩＦ−Ｖｐ特性を示す説明図である。
【図３】ＬＥＤ駆動回路の各部位での電流、電圧の経時的変化を示す説明図である。
【図４】本発明の第２の実施の形態における、電流駆動回路の構成を示す回路図である。
【図５】従来のＬＥＤ駆動回路の説明図である。
【図６】従来のＬＥＤ駆動回路の説明図である。
【図７】従来のＬＥＤ駆動用ＭＯＳトランジスタのＩＦ−Ｖｐ特性を示す説明図である。
【符号の説明】
【００５７】
１０                    入力直流電圧源
２０                    基準電圧発生回路
３０                    定電流発生回路
３１                    誤差増幅アンプ（電圧制御手段）
３２                    ＰＭＯＳトランジスタ
３３，３４，３５        ＰＭＯＳトランジスタ
３６                    抵抗
４０，５０，６０        ＬＥＤを駆動する電流駆動回路
４１，５１，６１        差動増幅回路（電圧制御手段）
４２，５２，６２        ＮＭＯＳトランジスタ
４３，５３，６３        ＮＭＯＳトランジスタ
４４，５４，６４        ＬＥＤ
７０，８０，９０        電流駆動回路
７１，８１，９１        差動増幅回路（電圧制御手段）
７２，８２，９２        ＰＭＯＳトランジスタ
７３，８３，９３        ＰＭＯＳトランジスタ
７４，８４，９４        ＬＥＤ
１００                  定電流発生回路
１０１                  誤差増幅アンプ（電圧制御手段）
１０２                  ＮＭＯＳトランジスタ
１０３，１０４，１０５  ＮＭＯＳトランジスタ
α                      任意の倍率
【図１】
2006237382.tif 000004
【図２】
2006237382.tif 000005
【図３】
2006237382.tif 000006
【図４】
2006237382.tif 000007
【図５】
2006237382.tif 000008
【図６】
2006237382.tif 000009
【図７】
2006237382.tif 000010